(57)【要約】【課題】クッション性を使用者の好みに応じて調節できるようにする。【解決手段】クッション性素材の枕本体２で構成し、この枕本体２の底面から内部箇所にかけて嵌合部３を設け、この嵌合部３に適宜選択的に嵌合保持して、枕本体２のクッション性を調節可能な調節素材４を複数備え、前記枕本体２における嵌合部３の天井面３Ｔと、対向する調節素材４の上部面４Ｔとに、互いに連通させるように通孔Ｔｈを多数形成する。また前記嵌合部３の天井面３Ｔと調節素材４の上部面４Ｔとには、凹凸加工（プロファイル加工）を施す。前記嵌合部３は、枕本体２の外形にほぼ相似した形状に成形する。【選択図】              図１
2004159930.tif 000002
【特許請求の範囲】
【請求項１】
クッション性素材の枕本体で構成し、この枕本体の底面から内部箇所にかけて嵌合部を設け、この嵌合部に適宜選択的に嵌合保持して、枕本体のクッション性を調節可能な調節素材を複数備え、前記枕本体における嵌合部と調節素材とに通孔を多数形成したことを特徴とする枕装置。
【請求項２】
前記嵌合部の天井面に凹凸加工を施したことを特徴とする請求項１記載の枕装置。
【請求項３】
前記嵌合部の天井面と対向する前記調節素材の上部面に凹凸加工を施したことを特徴とする請求項１記載の枕装置。
【請求項４】
前記嵌合部の天井面と調節素材の上部面双方に凹凸加工を施したことを特徴とする請求項１記載の枕装置。
【請求項５】
前記嵌合部は、枕本体外表面形状に近似した形状に構成したことを特徴とする請求項１ないし４記載のうち、いずれか１記載の枕装置。
【請求項６】
前記枕本体表面に凹凸加工を施したことを特徴とする請求項１記載の枕装置。
【請求項７】
前記枕本体側の通孔と調節素材側の通孔とを連通したことを特徴とする請求項１記載の枕装置。
【請求項８】
前記枕本体側の通孔と調節素材側の通孔とを互いにずらして形成したことを特徴とする請求項１記載の枕装置。
【発明の詳細な説明】
【０００１】
【発明が属する技術分野】
本発明は、クッション性を使用者の好みに応じて調節できるようにした、枕装置に関するものである。
【０００２】
【従来の技術】
人間が就寝時、健常者でも病弱者でも、枕は大変重要であり、枕自体の固さは勿論、形状、支えたときの高さ寸法が使用者によって、千差万別であるのは周知のとおりである。
枕自体の高さが高すぎると、頚椎が極端に内側に曲がって、気道が圧迫され、息苦しくなったり、肩が凝ったりする。
一方、枕の高さが低すぎたり、柔らかすぎると、頭が沈み込んでしまい、大変寝心地が悪くなって、快適性が損なわれるおそれがある。また、高血圧症の患者には、不向きである。
【０００３】
そこで、最近、柔軟度を変更できるようにした枕が提案されている（実用新案登録第３０７７７６０号参照）。この枕では、ポリウレタン発泡体からなる枕本体と強化部材と枕カバーとからなり、枕本体中段部の底部に、スリットを有する横溝を形成して、この横溝に枕本体より硬い材質の強化部材を着脱して枕の柔軟度を変更するようにしている。
【０００４】
【発明が解決しようとする課題】
しかしながら、上記枕では、強化部材は円柱であり、枕本体の内部の一部を占めるに過ぎず、柔軟度の変更の効果が及ぶのは、強化部材を装着する横溝周囲近傍にとどまり、枕本体全体に、前記強化部材の材質の影響が反映されるものではないと考えられる。すなわち頭、後頭部を支える箇所の大部分には、強化部材による調整効果は及ばないものと思われる。
また、横溝におけるスリットは、横溝直下の枕本体底部にあるので、使用に際して上からの荷重によって、スリットが広がり、横溝が変形して強化部材が抜け落ちるおそれがある。
本発明はこのような課題を改善するために提案されたものであって、より好適にクッション性を使用者の好みに応じて調節でき、しかも調節素材が脱落しにくい構造とした、枕装置を提供することを目的とする。
【０００５】
【課題を解決するための手段】
上述した課題を解決するために、本発明では、請求項１において、クッション性素材の枕本体で構成し、この枕本体の底面から内部箇所にかけて嵌合部を設け、この嵌合部に適宜選択的に嵌合保持して、枕本体のクッション性を調節可能な調節素材を複数備え、前記枕本体における嵌合部と調節素材とに通孔を多数形成した枕装置を提案する。
また本発明では、請求項２において、前記嵌合部の天井面に凹凸加工を施した枕装置を提案する。
また本発明では、請求項３において、前記嵌合部の天井面と対向する前記調節素材の上部面に凹凸加工を施した枕装置を提案する。
また本発明では、請求項４において、前記嵌合部の天井面と調節素材の上部面双方に凹凸加工を施した枕装置を提案する。
また本発明では、請求項５において、前記嵌合部は、枕本体外表面形状に近似した形状に構成した枕装置を提案する。
また本発明では、請求項６において、前記枕本体表面に凹凸加工を施した枕装置を提案する。
また本発明では、請求項７において、前記枕本体側の通孔と調節素材側の通孔とを連通した枕装置を提案する。
さらに本発明では、請求項８において、前記枕本体側の通孔と調節素材側の通孔とを互いにずらして形成した枕装置を提案する。
【０００６】
請求項１によれば、枕本体を引っ繰り返し、この枕本体の底面の嵌合部を上に向けて、複数の調節素材の中から、適宜選択して前記嵌合部に嵌合保持して、枕本体のクッション性を調節することができる。この際、前記嵌合部と調節素材とに通孔を多数形成してあるので、使用に際し、通気性がよく快適性も高い。
【０００７】
請求項２によれば、嵌合部の天井面に凹凸加工を施すことで、さらにクッション性を好適に調節することができ、使用に際し、凹凸箇所が変形することで、通孔を介して空気の流通を促進することができる。
【０００８】
請求項３によれば、嵌合部の天井面と対向する調節素材の上部面に凹凸加工を施すことで、さらにクッション性を好適に調節することができ、使用に際し、凹凸箇所が変形することで、通孔を介して空気の流通を促進することができる。
【０００９】
請求項４によれば、嵌合部における天井面と調節素材の上部面双方に凹凸加工を施すことで、嵌合部に調節素材を隙間なく密接させることができる。
【００１０】
請求項５によれば、嵌合部に保持した調節素材により、枕本体のクッション性に、より効果的に反映させることができる。
【００１１】
請求項６によれば、枕本体表面の凹凸箇所が好適に使用者の頭を受け止めることができる。
【００１２】
請求項７によれば、枕本体側の通孔と調節素材側の通孔とを連通させれば、通気性を一層高めることができ、凹凸加工と相俟って快適性を向上させることができる。
【００１３】
請求項８によれば、枕本体側の通孔と調節素材側の通孔とが互いにずれているので、使用に際し、通孔を流通する空気の流通抵抗により枕本体および調節素材の変形速度が抑えられ、クッション性に反映される。
【００１４】
【発明の実施の態様】
以下、本発明にかかる枕装置につき、一つの実施の態様を挙げ、添付の図面に基づいて説明する。
図１に示す枕装置１は、クッション性素材の枕本体２で構成し、この枕本体２の底面から内部箇所にかけて嵌合部３を設け、この嵌合部３に適宜選択的に嵌合保持して、枕本体２のクッション性を調節可能な調節素材４を複数備え、前記枕本体２における嵌合部３の天井面３Ｔと、対向する調節素材４の上部面４Ｔとに、互いに連通させるように通孔Ｔｈを多数形成している。
また前記嵌合部３の天井面３Ｔと調節素材４の上部面４Ｔとには、凹凸加工（プロファイル加工）を施している。
なお、前記枕本体２は、図示は省略するが、取り外し可能なカバー部材で覆っている。
【００１５】
前記枕本体２は、周知のクッション性素材を使用し、外形が、図中、左右方向右側寄りの箇所を肉厚とし、底面を大きく開口して、枕本体２の外形にほぼ相似した形状の前記嵌合部３を形成している。なお、この右側寄りの箇所は、使用者の後頭部から首にかけての箇所を支えるようにしている。
【００１６】
前記嵌合部３は、上述のように枕本体２内部に枕本体２の外形にほぼ相似した形状に成形して構成したもので、嵌合部３における天井面３Ｔ、すなわち、枕本体２上面の内側面に、プロファイル加工によって多数の突部Ｐ、凹部Ｃを形成している。
【００１７】
また、前記調節素材４は、様々な反発性の素材で構成している。勿論、前記枕本体２の素材と同素材のものも可能である。かかる調節素材４は前記枕本体２における嵌合部３に隙間なく嵌合されるように嵌合部３とほぼ同輪郭の形状に構成している。そして、かかる調節素材４の上部面４Ｔには、すなわち、前記嵌合部３の天井面３Ｔに対応する箇所には、嵌合部３の天井面３Ｔと同様のプロファイル加工を施している。この場合、嵌合部３側の加工面と調節素材４側の加工面とで、突部Ｐ、凹部Ｃが互いに嵌合し合うように設定することができる。
【００１８】
そして、前記嵌合部３の天井面３Ｔにおけるプロファイル加工箇所と、調節素材４の上部面４Ｔのプロファイル加工箇所とには、適宜間隔ごとに、多数の貫通孔である前記通孔Ｔｈを形成している。
なお、前記枕本体２側の通孔Ｔｈと調節素材４側の通孔Ｔｈとは、必ずしも連通させなくてもよい（図３参照）。
【００１９】
さらに、前記プロファイル加工は、枕本体２外面側に施すこともできる。
【００２０】
以上のように構成される枕装置１において、枕本体２の嵌合部３に、複数の調節素材４から適宜選び出した調節素材４を押し込んで嵌合保持する。
前記枕本体２を引っ繰り返し、この枕本体２の底面の嵌合部３を上に向けて、前記選択された調節素材４を前記嵌合部３に嵌合保持して、枕本体２のクッション性を調節することができる。この際、前記嵌合部３の天井面３Ｔと調節素材４の上部面４Ｔとにはプロファイル加工が施されているため、隙間なく調節素材４が嵌合部３に嵌合する。
前記調節素材４は前記枕本体２における嵌合部３とほぼ同輪郭の形状の、枕本体２の外形にほぼ相似した形状のものであるので、枕本体２のクッション性に大いに反映させることができる。
もしクッション性が合わないときは、別の調節素材４を嵌合部３に嵌合すればよい。
【００２１】
また、これら枕本体２と調節素材４とに互いに連通する通孔Ｔｈを多数形成してあるので、使用に際し、通気性がよくプロファイル加工と相俟って快適性も高い。
すなわち、枕本体２に頭を乗せると、調節素材４と共に枕本体２は変形し、前記通孔Ｔｈを通して空気が流通する。これにより、頭部は湿気を帯びることもなく、多数の通孔Ｔｈを形成したことで、一層、クッション性を好適なものとすることができる。
【００２２】
なお、枕本体２表面にプロファイル加工したものにあっては、使用に際し、枕本体２表面の凹凸箇所が変形することで、一層好適に使用者の頭を受け止めることができる。
【００２３】
勿論、前記枕本体２側の通孔Ｔｈと調節素材４側の通孔Ｔｈとが必ずしも連通していなくても、使用に際し、調節素材４と共に枕本体２とが変形することで空気の流通が起こり、通気性は問題ない。その際、通孔Ｔｈを通過する空気の流通抵抗により変形速度が抑えられ、頭を乗せたときの衝撃を緩和するという効果も奏する。
【００２４】
また本発明にかかる枕装置１において、前記枕本体２における嵌合部３の天井面３Ｔと、対向する調節素材４の上部面４Ｔには、全くプロファイル加工を施さなくてもよい。また、プロファイル加工は、枕本体２側か調節素材４側かいずれかに施すようにしてもよい。
【００２５】
嵌合部３の天井面３Ｔか、嵌合部３の天井面３Ｔと対向する調節素材４の上部面４Ｔに凹凸加工を施すことで、さらにクッション性が好適に調節され、使用に際し、凹凸箇所が変形することで、通孔を介して空気の流通を促進することができる。
【００２６】
【発明の効果】
以上の通り、本発明によれば、
（１）複数の調節素材の中から、適宜選択して枕本体の嵌合部に嵌合保持して、枕本体のクッション性を調節することができる。この際、前記嵌合部の天井面と調節素材の上部面とに、通孔を多数形成してあるので、使用に際し、通気性がよく快適性も高い。
（２）嵌合部の天井面か、嵌合部の天井面と対向する調節素材の上部面に凹凸加工を施すことで、さらにクッション性を好適に調節することができ、使用に際し、凹凸箇所が変形することで、通孔を介して空気の流通を促進することができる。
（３）嵌合部における天井面と調節素材の上部面双方に凹凸加工を施すことで、嵌合部に調節素材を隙間なく密接させることができ、これら枕本体側と調節素材側に通孔を多数形成してあるので、使用に際し、通気性がよく快適性も高い。
（４）嵌合部は、枕本体外面に近似した形状とすることで、嵌合部に保持した調節素材により、枕本体のクッション性に、より効果的に反映させることができる。
（５）枕本体側の通孔と調節素材側の通孔とを連通させれば、通気性を一層高めることができ、凹凸加工と相俟って快適性を向上させることができる。
【００２７】
【図面の簡単な説明】
【図１】本発明にかかる枕装置の一つの実施の形態を示す断面説明図である。
【図２】図１に示す枕装置の全体構成を示す、斜視説明図である。
【図３】枕本体と調節素材との天井面と、通孔の形成状態を示す、要部拡大側面図である。
【符号の説明】
１                            枕装置
２                            枕本体
３                            嵌合部
３Ｔ                          天井面
４                            調節素材
４Ｔ                          上部面
Ｔｈ                          通孔
Ｐ                            突部
Ｃ                            凹部
【図１】
2004159930.tif 000003
【図２】
2004159930.tif 000004
【図３】
2004159930.tif 000005